(57)【要約】【課題】長尺の記録材Ａを固定することが可能であり、筆記者が無理な姿勢を強いられることがなく、何度も記録材Ａを移動させる必要がなく、全体のバランスを見ながら書くことができる書法補助器を提供する。【解決手段】縦長の記録材Ａを固定する書法補助器１であって、記録材Ａの始端部を保持し単独で自立する第一保持台１００と、記録材Ａの終端部を保持し単独で自立する第二保持台２００とを備える。【選択図】図１
0003199253.tif 000002
【実用新案登録請求の範囲】
【請求項１】
縦長の記録材を固定する書法補助器であって、
前記記録材の始端部を保持し、単独で自立する第一保持台と、
前記記録材の終端部を保持し、単独で自立する第二保持台と
を備えることを特徴とする書法補助器。
【請求項２】
前記第一保持台、及び、前記第二保持台は、それぞれ、
脚の長さが可変である三脚を含み、当該三脚により単独で自立する請求項１に記載の書法補助器。
【請求項３】
前記第一保持台、及び、前記第二保持台は、それぞれ、
上下に重ねられた二枚の板と、
前記二枚の板の間隔を手動で調整する機能を有する調整機構と、
前記二枚の板の間にあり、前記二枚の板の間が、前記調整機構によらずに、板の自重で閉じてしまうことを抑制する弾性部材とを含み、
前記調整機構により前記二枚の板の間隔を調整することによって、前記二枚の板の間に前記記録材を挟み前記記録材を保持する請求項１及び２のいずれか１項に記載の書法補助器。
【請求項４】
前記二枚の板のうちの上側の板の下面、及び、下側の板の上面のうちの少なくとも一方の面に、すべり止め部材が固定されているか、あるいは、すべり止め加工が施されている請求項３に記載の書法補助器。
【請求項５】
前記二枚の板のうちの上側の板における、上面の少なくとも一部が、磁石になっている請求項３及び４のいずれか１項に記載の書法補助器。
【請求項６】
前記二枚の板のうちのいずれかの板の少なくとも１つの側面が、凹型に形成されている請求項３〜５のいずれか１項に記載の書法補助器。
【考案の詳細な説明】
【技術分野】
【０００１】
本考案は、書道などにおいて紙や布地などの記録材上に文字や絵などを書く際に、記録材を固定する書法補助器に関し、特に、長尺の記録材を扱うことができる書法補助器に関する。
【背景技術】
【０００２】
従来より、例えば書道において、長尺の画仙紙を用いる際には、広い部屋の床に下敷きを敷き、その下敷きの上に画仙紙を置いて書家が立て膝で少しずついざりつつ後退姿勢を保ちながら書くか、あるいは、画仙紙の一部を机上に置いて画仙紙を少しずつ長さ方向にずらしながら書くことが多い。ここで画仙紙を床の上に置いて書く場合には、筆記者は上記した様な無理な姿勢を強いられるため、長い時間書き続けることが困難であり、腰を痛めかねないなどの健康上の問題もある。画仙紙の一部を机上に置いて書く場合には、書き跡の乾き具合に気を使いながら何度も画仙紙を移動させなければならないので極めて面倒であり、かつ画仙紙に皺が寄る心配がある。また、文字の配列バランスや大小・濃淡バランスなどを振り返りながら書き上げていくことが困難なので作品の仕上がりの良し悪しに大きく影響を及ぼすという問題がある。上記いずれの場合においても、書家が感性に任せて一気に書き上げることができないという致命的な問題がある。
【０００３】
これらに対し、書道、描画、工作などにおいて、長尺の紙や布等の材料を扱う場合に、紙や布等の材料を、下敷きの表面(外面)に巻き付けて、下敷きを順次移動させることができる多目的作業机が特許文献１に開示されている。特許文献１には、材料の送り戻しを容易に行うことができ、材料や床、着衣等の汚損を防止することができ、作業スペースを約半分にすることができ、台面の高さや傾きが変えられるので無理な姿勢や動作を強いられることが無く、かつ、未使用時は台部の奥行きを最小にし、脚部を縮小し、折りたたむことができるので、持ち運びや収納が容易であると記載されている。
【０００４】
また、無端帯状下敷を有する書道机において、新たにテンションローラを設け、筆記者の好みの姿勢に応じて、書台部分の高さ及び傾斜を自由に調節できる書道机が特許文献２に開示されている。特許文献２には、従来の無端帯状下敷の緩みの問題を解決するとともに、狭い室内スペースにおいても正座をはじめ筆記者の様々な姿勢に応じた使い方ができると記載されている。
【先行技術文献】
【特許文献】
【０００５】
【特許文献１】特開２００８−１１９３１３号公報
【特許文献２】特開平９−１４０４６６号公報
【考案の概要】
【考案が解決しようとする課題】
【０００６】
しかしながら、上記従来の多目的作業机や書道机では、文字や絵などの全体を見渡すことができないので、上述した如く全体のバランスを見ながら書くことができないという問題が残る。
【０００７】
本考案は以上のような従来の課題を考慮してなされたものであり、長尺の記録材を固定することが可能であり、筆記者が無理な姿勢を強いられることがなく、何度も記録材を移動させる必要がなく、かつ、全体のバランスを見ながら書くことができる書法補助器を提供するものである。
【課題を解決するための手段】
【０００８】
本考案に係る書法補助器は、縦長の記録材を固定する書法補助器であって、前記記録材の始端部を保持し、単独で自立する第一保持台と、前記記録材の終端部を保持し、単独で自立する第二保持台とを備える。
【０００９】
また書法補助器において、前記第一保持台、及び、前記第二保持台は、それぞれ、脚の長さが可変である三脚を含み、当該三脚により単独で自立する構成とすることもできる。
【００１０】
また書法補助器において、前記第一保持台、及び、前記第二保持台は、それぞれ、上下に重ねられた二枚の板と、前記二枚の板の間隔を手動で調整する機能を有する調整機構と、前記二枚の板の間にあり、前記二枚の板の間が、前記調整機構によらずに、板の自重で閉じてしまうことを抑制する弾性部材とを含み、前記調整機構により前記二枚の板の間隔を調整することによって、前記二枚の板の間に前記記録材を挟み前記記録材を保持する構成とすることもできる。
【００１１】
また書法補助器において、前記二枚の板のうちの上側の板の下面、及び、下側の板の上面のうちの少なくとも一方の面に、すべり止め部材が固定されているか、あるいは、すべり止め加工が施されている構成とすることもできる。
【００１２】
また書法補助器において、前記二枚の板のうちの上側の板における、上面の少なくとも一部が、磁石になっている構成とすることもできる。
【００１３】
また書法補助器において、前記二枚の板のうちのいずれかの板の少なくとも１つの側面が、凹型に形成されている構成とすることもできる。
【考案の効果】
【００１４】
本考案の書法補助器は、第一保持台と第二保持台とが独立しているので、長尺の記録材を立体的に固定することが可能であり、筆記者が無理な姿勢を強いられることがなく、何度も記録材を移動させる必要がなく、かつ、全体のバランスを見ながら書くことができる。
【００１５】
また本考案の書法補助器は、脚の長さが可変である三脚を含むので、記録材を保持する部分の高さや姿勢を適宜調整することができ、水平でない設置場所においても自立することができ、脚の長さを変えることにより意図的に記録材を傾けることもできる。
【００１６】
また本考案の書法補助器は、二枚の板の間が板の自重で閉じてしまうことを抑制する弾性部材を含むので、容易に記録材を挟むことができる。
【００１７】
また本考案の書法補助器は、二枚の板の間にすべり止め部材が固定されているか、あるいは、すべり止め加工が施されているので、二枚の板の間に挟んだ記録材が外れにくい。
【００１８】
また本考案の書法補助器は、上面に磁石になっている部分があるので、文鎮などの鉄やニッケルの部材を置いて記録材を挟んで固定することができる。
【００１９】
また本考案の書法補助器は、少なくとも１つの側面が凹型に形成されているので、クリップ状のもので紙を固定することができる。
【図面の簡単な説明】
【００２０】
【図１】本実施の形態に係る書法補助器の概要を示す図である。
【図２】第一保持台の詳細な構造を示す図である。
【図３】第一保持台を下方向から見上げた図である。
【図４】書法補助器の使い方の一例を示す図である。
【図５】変形例１に係る第一保持台の詳細な構造を示す図である。
【図６】変形例２に係る第一保持台の詳細な構造を示す図である。
【図７】変形例３に係る第二保持台の詳細な構造を示す図である。
【図８】実施の形態１、変形例１〜３を全て組み合わせて実施した第二保持台の詳細な構造を示す図である。
【考案を実施するための形態】
【００２１】
＜実施の形態１＞
以下、図面に示した実施の形態に基づいて本考案を詳細に説明する。
【００２２】
図１は、本実施の形態に係る書法補助器の概要を示す図である。
【００２３】
図１に示すように、書法補助器１は、記録材Ａの始端部を保持し単独で自立することができる第一保持台１００と、記録材Ａの終端部を保持し単独で自立することができる第二保持台２００とを備えている。
【００２４】
ここで第一保持台１００に縦長の記録材Ａの始端部を保持し、第二保持台２００に縦長の記録材Ａの終端部を保持し、第一保持台１００と第二保持台２００との距離を、記録材Ａの長さに合わせて適宜調整すると、記録材Ａが空中に浮いた状態で固定される。
【００２５】
図２は、第一保持台１００の詳細な構造を示す図である。
【００２６】
図３は、第一保持台１００の記録材Ａを保持する部分を、下方向から（図２中の矢印Ｂの辺りから）見上げた図である。
【００２７】
図２、３に示すように、第一保持台１００は、三脚１１０、二枚の板１２０、調整機構１３０、及び弾性部材１４０を備える。
【００２８】
三脚１１０は、例えば撮影機器の固定用に用いられる三脚と同様の構造を有する、第一保持台１００自身が単独で自立するための土台部分であり、各脚の長さが可変なので記録材を保持する部分の高さや姿勢を適宜調整することができ、水平でない設置場所においても自立することができる。なお、三脚１１０は未使用時には畳んで小さくすることができる。
【００２９】
二枚の板１２０は、上下に重ねられた上板１２１と下板１２２からなる。
【００３０】
調整機構１３０は、二枚の板１２０の間隔を手動で調整する機能を有する。具体的には、例えば、調整機構１３０は２セットあり、下板１２２の左右２箇所に手回し用の取手付きボルト１３１を固定し、かつ上板１２１の対応する位置にナット１３２を固定して、両方の取手付きボルト１３１を締め付け方向に回すと二枚の板１２０の間隔が縮まり、反対方向に回すと二枚の板１２０の間隔が拡がるようにする。
【００３１】
弾性部材１４０は、二枚の板１２０の間にあり、二枚の板１２０の間が、調整機構１３０によらずに、上板１２１の自重で閉じてしまうことを抑制すると共に、二枚の板１２０の間隔が２ｃｍ以上開かないように規制している。具体的には、例えば、弾性部材１４０は、二枚の板１２０の間の４箇所の角のそれぞれにコイルスプリングを挟んだものである。
【００３２】
第二保持台２００の構成は第一保持台１００と同様なので、説明を省略する。
【００３３】
図４は、書法補助器の使い方の一例を示す図である。
【００３４】
図４に示すように、三脚１１０の各脚の長さを調整して、記録材Ａを短手方向に傾けることができるので、長尺の記録材Ａに横書きで文字を書く際に大変使い勝手がよい。
【００３５】
＜変形例１＞
図５は、変形例１に係る第一保持台１００の詳細な構造を示す図である。
図５に示すように、変形例１では、上板１２１の下面と下板１２２の上面に、それぞれゴム板などのすべり止め部材１２１ａ、１２２ａを接着するなどして設置してすべり止めを施し、二枚の板１２０の間に挟んだ記録材Ａを外れにくくしている。
【００３６】
なお、上板１２１の下面、及び下板１２２の上面のいずれか一方にすべり止めを施してもよい。また、すべり止め部材１２１ａ、１２２ａを設置する代わりに、すべり止めすべき面の全体又は一部にゴム材などを塗布するなどのすべり止め加工を施してもよい。
【００３７】
要は、上板１２１の下面、及び、下板１２２の上面のうちの少なくとも一方の面に、すべり止め部材が設置されているか、あるいは、すべり止め加工が施されていればよい。
【００３８】
以上のように変形例１の書法補助器には、二枚の板の間にすべり止め部材が固定されているか、あるいは、すべり止め加工が施されているので、二枚の板の間に挟んだ記録材が外れにくい。
【００３９】
＜変形例２＞
図６は、変形例２に係る第一保持台１００の詳細な構造を示す図である。
図６に示すように、変形例２では、上板１２１の上面の少なくとも一部が磁石１２１ｂになっている。具体的には、例えば、木製や樹脂製の上板１２１に窪みを作り、そこに磁石をはめ込んで、上面全体を平坦にする。
【００４０】
変形例２の書法補助器には、上面に磁石になっている部分があるので、文鎮などの鉄やニッケルの部材を置いて記録材Ａを挟んで固定することができる。
【００４１】
＜変形例３＞
図７は、変形例３に係る第二保持台２００の詳細な構造を示す図である。
図７に示すように、変形例３では、上板１２１の少なくとも１つの側面が、凹型に形成された凹型側面１２１ｃになっている。なお上板１２１の側面を凹型に形成する代わりに、下板１２２の少なくとも１つの側面を凹型に形成してもよい。要は、二枚の板１２０のうちのいずれかの板の少なくとも１つの側面が、凹型に形成されていればよい。
【００４２】
変形例３の書法補助器は、少なくとも１つの側面が凹型に形成されているので、クリップ状のもので記録材Ａを固定することができる。
【００４３】
なお、特に矛盾しない限り、実施の形態１、変形例１〜３は任意に組み合わせて実施することができる。
【００４４】
図８は、実施の形態１、変形例１〜３を全て組み合わせて実施した第二保持台２００の詳細な構造を示す図である。
【００４５】
実施の形態１において、取手付きのボルト１３１を、上板１２１の上面ではなく下板１２２の下面に取り付けたことにより、上板１２１の上面全体を平面にすることが可能となった。特に変形例２及び変形例３の少なくとも一方の構成を含む実施形態を取る場合には、上板１２１の上面全体が平面であるため、上板１２１の上面に記録材Ａを水平な状態で固定することができ、大変使い勝手がよい。
【００４６】
以上のように、本実施の形態１、変形例１〜３の書法補助器によれば、長尺の記録材を固定することが可能であり、筆記者が無理な姿勢を強いられることがなく、何度も記録材を移動させる必要がなく、かつ、全体のバランスを見ながら書くことができる。
【符号の説明】
【００４７】
１        書法補助器
１００    第一保持台
１１０    三脚
１２０    二枚の板
１２１    上板
１２１ａ  すべり止め部材
１２１ｂ  磁石
１２１ｃ  凹型側面
１２２    下板
１２２ａ  すべり止め部材
１３０    調整機構
１３１    取手付きのボルト
１３２    ナット
１４０    弾性部材
２００    第二保持台
【図１】
0003199253.tif 000003
【図２】
0003199253.tif 000004
【図３】
0003199253.tif 000005
【図４】
0003199253.tif 000006
【図５】
0003199253.tif 000007
【図６】
0003199253.tif 000008
【図７】
0003199253.tif 000009
【図８】
0003199253.tif 000010